(57)【要約】      （修正有）【課題】電子機器を被取付部材に取り付けた状態で、電子機器の取付方向を変更できる取付具を提供する。【解決手段】自転車のハンドルバーにはマウントが取り付けられる。サイコン２０の底面２８に設けられた取付本体部３０は４本の係止爪部３５〜３８を備える。係止爪部３５〜３８は十字方向に各々延出する。マウントの穴部には４つの被係止部が設けられている。被係止部は穴部を軸方向から見た場合に９０°ずつずれた位置に設けられている。取付本体部３０をマウントの穴部に挿入し、係止爪部３５〜３８を各被係止部に係止させる。サイコン２０はマウントに取り付けられる。この状態から取付本体部３０を９０°回転させると、係止爪部３５〜３８は４つの被係止部の何れかに係止する。故にサイコン２０をハンドルバーに取り付けた状態で、サイコン２０の取付方向を容易に変更できる。【選択図】図５
2015222124.tif 000002
【特許請求の範囲】
【請求項１】
機器を取り付けるマウントに設けた通し孔を通ったバンドを、バーに対して結束してマウントをバーに固定する際に、前記バーと前記マウントとの間に配置される弾性を有する部材であって、
前記バーに接触する湾曲部と、
前記湾曲部とは反対側で前記マウントに当接する当接部と、
当該弾性を有する部材と前記マウントの間に前記通し孔を通ったバンドを通過させる空間を形成するために前記当接部よりも低く形成した段部とを備えること
を特徴とする弾性を有する部材。
【請求項２】
前記マウントは前記通し孔を備える壁を有し、
前記弾性を有する部材は、
その上面が前記段部となる板状部と、
前記板状部から上方に突出し、前記当接部をその上面に設けた支持部と、
前記板状部の底部の外周に外方に延出したフランジ部とを備え、
前記フランジ部は前記マウントの前記通し孔を備える壁の底面側の開口端に当接すること
を特徴とする請求項１に記載の弾性を有する部材。
【請求項３】
前記マウントは一対の前記通し孔を備え、
前記段部は前記当接部を挟んで２箇所に設けたこと
を特徴とする請求項１または２に記載の弾性を有する部材。
【請求項４】
前記当接部を挟んで傾斜部を有する形状の支持部を備えること
を特徴とする請求項１から３のいずれかに記載の弾性を有する部材。
【請求項５】
前記マウントは前記機器を固定するための嵌合部を備えた板バネを備え、
前記傾斜部は、当該板バネに相対する位置に設けたこと
請求項４に記載の弾性を有する部材。
【発明の詳細な説明】
【技術分野】
【０００１】
本発明は、被取付部材に電子機器を取り付ける為の取付具に関する。
【背景技術】
【０００２】
従来、サイクルコンピュータのような表示部を有する電子機器を自転車のハンドルに取付けるための取付具が知られている。例えば、大きさや厚さ寸法の異なる電子機器を、同一のブラケット（本願の「マウント」に相当）を介して被取付部材に着脱自在に取付けることができる電子機器の取付構造が知られている（例えば特許文献１参照）この取付構造では、被取付部材に固定されたブラケットにフックを設けている。このフックに、電子機器の本体に取付けられた一方のバンドに穿設された穴部を掛止する。さらに他方のバンドに長穴部を穿設し、この長穴部の適宜位置にねじを挿通させて、該ねじをブラケットに形成されたねじ穴に螺合させて締め付ける。これにより上記電子機器をブラケットに着脱自在に取り付けている。
【先行技術文献】
【特許文献】
【０００３】
【特許文献１】特開平７−３３２３４４号公報
【発明の概要】
【発明が解決しようとする課題】
【０００４】
しかしながら、特許文献１に記載の電子機器の取付構造では、電子機器の表示部に表示される画像の表示方向が変更された場合、使用者は一旦、ブラケットを自転車から取り外し、画像の表示方向に合わせてブラケットを付け直す必要があり手間であった。
【０００５】
本発明の目的は、電子機器を被取付部材に取り付けた状態で、電子機器の取付方向を容易に変更できる取付具を提供することである。
【課題を解決するための手段】
【０００６】
本発明の第一態様に係る取付具は、電子機器を被取付部材に取り付ける為の取付具であって、前記被取付部材に取り付けられるマウントと、前記マウントに着脱可能に取り付けられ、前記電子機器のケースに設けられる本体部とを備え、前記本体部は、前記マウント側に突出する柱状の突起部と、前記突起部を突出方向から見た場合に前記突起部の外周より十字方向に各々突出する４つの係止爪とを備え、前記マウントは、前記突起部が挿入される有底の穴部と、前記穴部の内周から径方向内側に突出し、かつ前記穴部を軸方向から見た場合に９０°ずつずらした位置に各々設けられ、前記穴部に前記突出部が挿入された状態で前記係止爪に係止可能な４つの被係止部とを備える。
【０００７】
第一態様によれば、本体部の突起部をマウントの穴部に挿入し、４つの係止爪を穴部に設けられた４つの被係止部に係止させることにより、本体部がマウントに取り付けられる。被係止部は９０°ずつずらした位置に各々設けられているので、本体部を４５°ずつ回転させて取り付けることができる。それ故、マウントを被取付部材から取り外すことなく、被取付部材に対して電子機器の取付方向を４５°ずつ回転させることができる。
【０００８】
第一態様において、前記係止爪の先端部には第１凹部が設けられ、前記穴部の内周面であって４つの前記被係止部に各々対応する位置には、前記第１凹部に嵌合可能な第１凸部が各々設けられていてもよい。被係止部に係止爪が各々係止した状態において、係止爪の先端部に設けられた第１凹部が、穴部の内周面に設けられた４つの第１凸部に各々嵌合するので、マウントに対して本体部が回転しないように位置決めできる。
【０００９】
第一態様において、前記突起部における前記穴部の底部に対向する先端部であって４つの前記係止爪に各々対応する十字方向の位置には第２凹部が各々設けられ、前記穴部の底部であって４つの前記被係止部のうち少なくとも互いに対向する一対の前記被係止部に各々対応する位置には、前記穴部の深さ方向に撓み可能な一対の弾性部が設けられ、前記一対の弾性部には、前記第２凹部に嵌合可能な第２凸部が各々設けられていてもよい。被係止部に係止爪が各々係止した状態において、その被係止部に対応するマウントの穴部の底部に設けられた一対の第２凸部と、前記突起部の先端部に設けられた４つの第２凹部のうちの２つの第２凹部とが嵌合するので、被係止部対して係止部の位置が回転してずれるのを防止できる。
【００１０】
第一態様において、前記弾性部は板バネであってもよい。弾性部は板バネであるので第２凸部を穴部の深さ方向に容易に撓ませることができる。そして板バネの弾性復帰力によって第２凸部は第２凹部に落着して強固に嵌合できる。それ故、被係止部対して係止部の位置が回転してずれるのを確実に防止できる。
【００１１】
第一態様において、前記一対の弾性部に設けられた一対の前記板バネは、前記底部の中央部で互いに連結され、当該中央部を基点として前記中央部とは反対側の先端側が前記深さ方向にそれぞれ撓み可能であってもよい。一対の板バネは底部の中央部で互いに連結され、その中央部を基点として先端側が撓む。それ故、簡単な構成で、互いに対向する位置にある一対の第２凸部を、板バネの弾性復帰力を利用して、突起部の先端部にある一対の第２凹部に落着させて嵌合させることができる。
【００１２】
第一態様において、前記第２凸部は、前記穴部の前記底部の中央部から前記径方向外側に向かって前記底部からの高さが徐々に高くなる形状を備え、前記第２凹部は、前記第２凸部の形状に対応する深さ形状を備えてもよい。第２凸部は中央部から径方向外側に向かって高さが徐々に高くなる形状であるので、第２凸部の径方向外側の部分において第２凹部に対してより確実に嵌合できる。板バネの先端側は第２凸部の底部からの高さが高くなるが、板バネの先端側は最も撓み可能である。それ故、使用者がマウントに対して本体部を回転させると、第２凸部は板バネを押し下げて第２凹部から抜け出すことができるので、マウントに対して本体部の回転位置を自由に変えることができる。
【００１３】
第一態様において、前記マウントは上面、底面、及び側面を備えた台座状に形成され、前記穴部は前記上面に形成され、前記側面には前記被取付部材に前記マウントを取り付ける結束部材を通す為の通し孔が設けられていてもよい。側面に設けられた通し孔に結束部材を通し、被取付部材に結束することにより、マウントに対して本体部を取り付けることができる。それ故、電子機器のケースを被取付部材に取り付けることができる。
【００１４】
第一態様において、前記側面は少なくとも互いに対向する位置関係にある一対の対向側面を備え、前記通し孔は前記一対の対向側面を各々貫通して設けられていてもよい。通し孔は一対の対向側面を各々貫通しているので、その通し孔に結束部材を通すことができるので、マウントをバランスよく被取付部材に取り付けることができる。
【００１５】
第一態様において、前記通し孔は、前記一対の対向側面において前記穴部の前記底部よりも前記底面側に設けられていてもよい。通し孔は穴部の底部よりもマウントの底面側に設けられているので、穴部の内側に結束部材が位置しない。それ故、マウントに対して穴部をより大きくすることができる。穴部を大きくできるので、それに取り付ける本体部を大きくできるので、マウントに対して本体部を頑丈に取り付けることができる。
【００１６】
第一態様において、前記一対の対向側面は、前記一対の板バネに各々対応する前記一対の被係止部が設けられた位置に各々対応し、前記通し孔は前記対向側面の幅方向両側に各々設けられていてもよい。通し孔は一対の板バネに対応する一対の対向側面の幅方向両側に設けられているので、通し孔に通される結束部材が一対の板バネ上に配置されない。それ故、マウント側の第２凸部が、突起部側の第２凹部に嵌合するのを邪魔しないようにできる。
【００１７】
第一態様において、前記マウントの前記底面側には、前記被取付部材に接触する接触部材が設けられ、前記接触部材は弾性を有する材質で形成されていてもよい。被取付部材に接触する接触部材が弾性を有する材質であるので、被取付部材に対してマウントをガタなく密着させて取り付けることができる。また被取付部材が損傷するのを防止できる。被取付部材の振動がマウントに直接伝わるのを防止できる。
【００１８】
第一態様において、前記接触部材はゴム状の材質で形成されていてもよい。接触部材は例えばゴムやエラストマーのようなゴム状の材質で形成されているので、被取付部材に対する滑り止め効果を得ることができる。
【００１９】
第一態様において、前記マウントは前記底面側に開口部を有する筐体であって、前記接触部材の前記マウントの前記底面側に対向する上面には、前記開口部を介して、前記穴部の前記底部の前記中央部に当接する当接部が設けられていてもよい。接触部材の当接部が、マウントの穴部の底部の中央部に当接するので、その中央部において連結する一対の板バネを底面側から支持できる。
【００２０】
第一態様において、前記接触部材の前記上面において、前記一対の対向側面の前記幅方向両側に対応する一対の部分には、前記通し孔に通される前記結束部材から離間する位置まで低く形成された段部が各々設けられている。通し孔に通された結束部材は、接触部材に干渉することなく段部上に配置されるので、マウント内部において結束部材を容易に通すことができる。
【００２１】
第一態様において、前記被取付部材は円筒状又は円柱状であって、前記接触部材の前記被取付部材が接触する下面には、前記被取付部材の外周形状に対応する湾曲形状を備えた湾曲部が設けられていてもよい。円筒状又は円柱状の被取付部材の外周形状に合わせて、接触部材の湾曲部を接触させることができるので、マウントを接触部材を介してずれることなく取り付けることができる。
【００２２】
第一態様において、前記湾曲部は、前記通し孔の前記延設方向に対して直交する方向に延設されている。湾曲部は通し孔の延設方向に対して直交する方向に延設されているので、被取付部材の長手方向に対して直交する方向に、被取付部材に対して結束部材を結束することができる。それ故、マウントを被取付部材に容易に取り付けることができる。
【００２３】
第一態様において、前記被取付部材は二輪車のフレームであってもよい。二輪車のフレームに対して、電子機器の取り付け角度を容易に変更できる
【００２４】
第一態様において、前記電子機器は、前記電子機器は、長方形状の表示部を備え、前記表示部に表示される画像の向きが変更可能であってもよい。例えば電子機器の表示部に表示される画像の表示向きを変えた場合でも、マウントを被取付部材から取り外すことなく、その表示向きに対して電子機器の取付角度を容易に替えることができる。
【図面の簡単な説明】
【００２５】
【図１】自転車１００の側面図である。
【図２】サイコン２０がマウント５０を介してハンドルバー１５に取り付けられた状態を示す図である。
【図３】サイコン２０を下方から見た斜視図である。
【図４】サイコン２０の正面図である。
【図５】サイコン２０の底面図である。
【図６】マウント５０の斜視図である。
【図７】マウント５０の平面図である。
【図８】マウント５０の底面図である。
【図９】台座シート９０の上方から見た斜視図である。
【図１０】台座シート９０を下方から見た斜視図である。
【図１１】マウント５０に対して斜め方向に配置したサイコン２０の図である。
【図１２】マウント５０に対して縦方向に取り付けたサイコン２０の図である。
【図１３】マウント５０に対して横方向に取り付けたサイコン２０の図である。
【発明を実施するための形態】
【００２６】
以下、本発明の一実施形態について、図面を参照して説明する。これらの図面は、本発明が採用しうる技術的特徴を説明するために用いられるものである。記載されている装置の構成等は、それのみに限定する趣旨ではなく、単なる説明例である。
【００２７】
先ず、電子機器が取り付けられる自転車１００の構造について、図１，図２を参照して簡単に説明する。以下説明では、図２の右斜め上方、左斜め下方、右方、左方を、夫々、自転車１００の前方、後方、右方、左方とする。自転車１００は、例えばマウンテンバイクと呼ばれる不整地走行が可能なものである。自転車１００は、フレーム１、駆動部５、前輪６、後輪７、前後のブレーキ装置９Ａ，９Ｂ等を備える。フレーム１は、フレーム体２、フロントフォーク３、及びハンドル部４を有する。フレーム体２は、パイプを溶接して製作される。フレーム体２には、サドル１３や駆動部５を含む各部が取り付けられている。フロントフォーク３は、フレーム体２の前部に斜めに傾いた軸回りに揺動自在に装着される。ハンドル部４は、ハンドルステム１４とハンドルバー１５を備える。ハンドルステム１４は、フロントフォーク３の上部に固定される。ハンドルバー１５は、ハンドルステム１４に固定される。ハンドルバー１５は左右方向にかつ水平に延設される。
【００２８】
ハンドルバー１５の略中央の上部には、マウント５０が取り付けられている。マウント５０には、サイクルコンピュータ（以下「サイコン」と呼ぶ。）２０が着脱可能に取り付けられる。サイコン２０は電子機器の一例である。サイコン２０は、例えば、自転車１００の走行速度や走行距離等の走行情報を表示可能である。具体的には、例えば、自転車１００の走行に伴い、後輪７のスポークに取り付けた速度検出用マグネット（図示略）の回転を速度検出器（図示略）で検出し、該速度検出器から出力される回転速度に対応したパルス信号に基づき、自転車１００の走行速度及び走行距離等の各種情報を算出して表示できる。
【００２９】
ハンドルバー１５の両端には、ブレーキレバー１６とグリップ１７が装着されている。ブレーキレバー１６とグリップ１７は、前後のブレーキ装置９Ａ，９Ｂを操作する為のものである。駆動部５は、ギアクランク１１とチェーン１８を備える。ギアクランク１１は、フレーム体２の下部に設けられている。チェーン１８は、ギアクランク１１に掛け渡されている。
【００３０】
そして、本実施形態は、サイコン２０をマウント５０に対して４５°の回転で取り付けることができる。さらに、サイコン２０をハンドルバー１５に取り付けたままの状態で、サイコン２０の向きを９０°ずつ変えることができる。例えば、サイコン２０に表示される画像の縦又は横の表示方向に合わせてサイコン２０の向きを変えることができる。
【００３１】
以下、サイコン２０をハンドルバー１５に対して４５°の回転で取り付け可能とする取付具の構成について説明する。図３の左斜め下方、右斜め上方、右斜め下方、左斜め上方を、夫々、サイコン２０の前方、後方、左方、右方とする。図４の上方、下方、右方、左方、紙面手前方向、紙面奥行き方向を、サイコン２０の上方、下方、右方、左方、前方、後方とする。図５の下方、上方、右方、左方を、夫々、サイコン２０の前方、後方、左方、右方とする。
【００３２】
先ず、サイコン２０の筐体構造について説明する。図２に示すように、サイコン２０は筐体２１を備える。筐体２１は樹脂製である。筐体２１は例えば一方向に長手を有する略直方体状のケースである。筐体２１は、前面２３、背面２４、右側面２５、左側面２６、上面２７、及び底面２８を備える。筐体２１の各角部はテーパ状に形成されている。上面２７には表示部２９が設けられている。表示部２９は平面視長方形状である。表示部２９には、例えば、自転車１００の走行速度や走行距離等の走行情報等が表示される。表示部２９は例えば抵抗膜式のタッチパネルを搭載する。抵抗膜式のタッチパネルは、自転車１００に乗るときに、例えば手袋をしていたり、汗をかいている場合でも、タッチパネルの反応性を維持できる点で特に有効である。使用者は、表示部２９に表示された操作部（図示略）に指でタッチして入力操作を行うことができる。表示部２９に表示される画像の表示方向は、例えば縦方向と横方向の何れかに変更可能である。縦方向とは例えば前記一方向に沿った長手方向である。横方向とは例えば前記一方向に直交する短手方向である。
【００３３】
図２に示すように、右側面２５の前側部分には、円形状の電源ボタン２５Ａが設けられている。電源ボタン２５Ａの押下によってサイコン２０の電源のオンオフが切り替わる。図３に示すように、背面２４には、例えばメモリカードを挿入可能なメモリ挿入部（図示略）と、ＵＳＢを接続できるＵＳＢ接続部（図示略）とが各々設けられている。これらは不使用時にはカバー２４Ａで覆われている。
【００３４】
次に、サイコン２０の底面２８に設けられる形状について、図３〜図５を参照して説明する。図３に示すように、底面２８には隆起部２８Ａが設けられている。隆起部２８Ａは下方に平板状に隆起し、底面視略長方形状である。隆起部２８Ａの下面略中央には下方に突出する取付本体部３０が設けられている。取付本体部３０は、突起部３１と十字部３２を備える。突起部３１は例えば略円柱状である。十字部３２は、突起部３１の下方に突出する先端面に設けられている。十字部３２は底面視略十字形状である。十字部３２は、４本の係止爪部３５〜３８を備える。係止爪部３５〜３８は、突起部３１の先端面において十字方向に各々延出する。十字方向は例えば筐体２１の前後左右の４方向である。係止爪部３５は筐体２１の前方に延出する。係止爪部３６は筐体２１の右方に延出する。係止爪部３７は筐体２１の後方に延出する。係止爪部３８は筐体２１の左方に延出する。
【００３５】
さらに、突起部３１の先端面において、係止爪部３５と係止爪部３６に挟まれる部分には湾曲凹部４１が設けられている。係止爪部３６と係止爪部３７に挟まれる部分には湾曲凹部４２が設けられている。係止爪部３７と係止爪部３８に挟まれる部分には湾曲凹部４３が設けられている。係止爪部３８と係止爪部３５に挟まれる部分には湾曲凹部４４が設けられている。湾曲凹部４１〜４４は、十字部３２の先端面の中心３２Ａから径方向外側に向かって緩やかに湾曲している。それ故、十字部３２は、突起部３１の先端面において下方に突出する状態となる。
【００３６】
次に、係止爪部３５〜３８の形状について具体的に説明する。図３〜図５に示すように、係止爪部３５〜３８は、十字部３２の中心３２Ａ側においてやや先細り形状を有し、径方向外側に向かって緩やかな幅広に形成されている。係止爪部３５〜３８の各先端部は、突起部３１の外周より径方向外側に突出している。係止爪部３５〜３８の各先端部は円弧状である。係止爪部３５の先端部の幅方向中央には凹部３５Ａが設けられている。係止爪部３６の先端部の幅方向中央には凹部３６Ａが設けられている。係止爪部３７の先端部の幅方向中央には凹部３７Ａが設けられている。係止爪部３８の先端部の幅方向中央には凹部３８Ａが設けられている。凹部３５Ａ〜３８Ａは中心３２Ａ側に例えば円弧状に窪んで形成されている。
【００３７】
係止爪部３５の先端部と中心３２Ａとの間には、凹部３５Ｂが設けられている。凹部３５Ｂは、係止爪部３５の長手方向に沿って延設され、細長長方形状である。凹部３５Ｂの深さは、中心３２Ａ側から先端側にかけて徐々に深くなっている。係止爪部３６〜３８にも、凹部３５Ｂと同様の係合凹部３６Ｂ，３７Ｂ，３８Ｂが各々設けられている。
【００３８】
次に、マウント５０の構造について説明する。図６〜図８に示すように、マウント５０は、底面が開放する略直方体状の樹脂製ケースである。マウント５０は、前壁５１、背壁５２、右側壁５３、左側壁５４、及び上壁５５を備える。上壁５５の上面略中央には穴部５７が設けられている。穴部５７は底部５８を備え、平面視円形状である。穴部５７の内周面の上部において、前壁５１に対応する位置には、被係止部６１が設けられている。背壁５２に対応する位置には、被係止部６２が設けられている。右側壁５３に対応する位置には、被係止部６３が設けられている。左側壁５４に対応する位置には、被係止部６４が設けられている。即ち、被係止部６１〜６４は、穴部５７を軸方向から見た場合に９０°ずつずらした位置に各々設けられている。
【００３９】
被係止部６１〜６４は、穴部５７の径方向内側に各々延出する。被係止部６１〜６４は、穴部５７の内周面に沿って設けられ、それら径方向内側に向かう各先端部は、当該内周面の曲率と同様に円弧状に湾曲している。被係止部６１〜６４の互いに隣り合う端部同士の間には所定の隙間が設けられている。この隙間の幅は、少なくとも取付本体部３０に設けられた上述の係止爪部３５〜３８の各先端部を挿入できる程度に調整される。
【００４０】
穴部５７の内周面において、被係止部６１の長手方向中央部の下方には突起部８１が設けられている。被係止部６２の長手方向中央部の下方には、突起部８２が設けられている。被係止部６３の長手方向中央部の下方には、突起部８３が設けられている。被係止部６４の長手方向中央部の下方には、突起部８４が設けられている。突起部８１〜８４は、穴部５７の内周面から径方向内側に各々突出する。
【００４１】
図７，図８に示すように、底部５８において、被係止部６３，６４に相対する各部分には、孔部６８，６９が各々設けられている。孔部６８，６９は、平面視で見た場合に、被係止部６３，６４と少なくとも同程度の大きさを有する長方形状である。底部５８において、被係止部６１，６２に相対する各部分には、孔部７０，７１が設けられている。孔部７０，７１は平面視矩形状である。孔部７０と７１の間には、中央部７３が設けられている。中央部７３は左右方向に延設する略長方形状である。孔部７０内には板バネ７４が設けられている。孔部７１内には板バネ７５が設けられている。板バネ７４，７５は中央部７３で互いに連結されている。板バネ７４，７５は中央部７３を基点として、中央部７３とは反対側の先端側が穴部５７の深さ方向にそれぞれ撓み可能である。
【００４２】
図７に示すように、板バネ７４の先端側の幅方向中央には、凸部７４Ａが設けられている。凸部７４Ａは、底部５８の中央部５９から径方向外側に向かって底部５８からの高さが徐々に高くなる形状を備える。凸部７４Ａは側面視略三角形状である。板バネ７５の先端側の幅方向中央には、凸部７５Ａが設けられている。凸部７５Ａは、底部５８中央部５９から径方向外側に向かって底部５８からの高さが徐々に高くなる形状を備える。凸部７５Ａは側面視略三角形状である。凸部７４Ａ，７５Aの形状は、係止爪部３５〜３８の凹部３５Ｂ〜３８Ｂの深さ形状に対応している。故に、凸部７４Ａ，７５Aは、係止爪部３５〜３８の凹部３５Ｂ〜３８Ｂに対して、特に径方向外側において強固に嵌合できる。
【００４３】
図６に示すように、前壁５１の幅方向両側には一対の通し孔８６，８７が設けられている。通し孔８６は前壁５１の右側、通し孔８７は前壁５１の左側である。図７に示すように、背壁５２の幅方向両側にも一対の通し孔８８，８９が設けられている。通し孔８８は背壁５２の右側、通し孔８９は前壁５１の左側である。通し孔８６と通し孔８８は互いに対向する位置関係にある。通し孔８７と通し孔８９は互いに対向する位置関係にある。
【００４４】
図２に示すように、通し孔８６，８８（図７参照）には結束バンド１０１が通される。通し孔８７，８９（図７参照）には結束バンド１０２が通される。結束バンド１０１，１０２は、ハンドルバー１５にマウント５０を取り付ける為のバンドである。通し孔８６，８８に通された結束バンド１０１と、通し孔８７，８９に通された結束バンド１０２とは、マウント５０内において、孔部７０，７１の左右両側に配置される。それ故、板バネ７４，７５が下方に撓んだ場合、板バネ７４，７５は結束バンド１０１，１０２に接触しない。従って、結束バンド１０１，１０２は、板バネ７４，７５の撓み機能を阻害しない。
【００４５】
図６に示すように、右側壁５３の底部の中央部には、湾曲部７８が設けられている。図８に示すように、左側壁５４の底部の中央部にも、湾曲部７９（図８参照）が設けられている。湾曲部７８，７９は上方に円弧状に湾曲し、互いに対向する位置関係である。湾曲部７８，７９は、後述する台座シート９０を介してハンドルバー１５に接触する部分である。図６に示すように、上記構成を備えるマウント５０の底部には、台座シート９０が嵌め込まれる。
【００４６】
次に、台座シート９０の形状について、図９，図１０を参照して説明する。台座シート９０は弾性を有する樹脂部材である。例えばゴムや、エラストマー等が適用可能である。図９，図１０に示すように、台座シート９０は板状部９１を備える。板状部９１は平面視長方形の板状に形成されている。板状部９１の上面の左右方向中央部には、中央支持部９２が設けられている。中央支持部９２は上方に突出する台形状である。中央支持部９２の上面には、当接部９３、及び一対の傾斜部９４，９５が各々設けられている。当接部９３は、中央支持部９２の上面の前後方向の中央部に設けられ、平面視長方形状である。当接部９３は、マウント５０の中央部７３（図８参照）の下面に当接して支持する。傾斜部９４は、当接部９３の前端部から前方に向かって斜め下方に傾斜する。傾斜部９５は、当接部９３の後端部から後方に向かって斜め下方に傾斜する。傾斜部９４，９５は当接部９３を中央に挟んでいる。傾斜部９４は、マウント５０の板バネ７４に相対する位置にある。傾斜部９５は、マウント５０の板バネ７５に相対する位置にある。それ故、板バネ７４，７５（図７，図８参照）が下方に撓んでも台座シート９０の上面には接触しない。
【００４７】
さらに、板状部９１の上面において、中央支持部９２の左右両側には段部９６，９７が設けられている。段部９６は、マウント５０の通し孔８６，８８に通される結束バンド１０１（図２参照）に対応する位置である。段部９７は、マウント５０の通し孔８７，８９に通される結束バンド１０２（図２参照）に対応する位置である。段部９６，９７の上面は、中央支持部９２の上面よりも一段低くなっている。故に、段部９６，９７は、結束バンド１０１，１０２に接触しない。
【００４８】
さらに、板状部９１の底部の外周にはフランジ部９８が設けられている。フランジ部９８は外方に延出している。フランジ部９８は、マウント５０の開放する底面側の開口端に当接する。板状部９１の底面には、湾曲部９９が設けられている。湾曲部９９は、板状部９１の底面の前後方向の略中央部に位置する。湾曲部９９は、通し孔８６〜８９の延設方向に対して直交する方向に延設されている。湾曲部９９は略円弧状に湾曲する。湾曲部９９はハンドルバー１５に接触する部分である。上述のように、台座シート９０の材質は例えばゴムや、エラストマー等の樹脂部材であるので、ハンドルバー１５に対して滑り止めの効果を得ることができる。
【００４９】
次に、マウント５０のハンドルバー１５への取り付け手順の一例について説明する。図２に示すように、先ず、マウント５０の底面側に設けた台座シート９０の湾曲部９９を、ハンドルバー１５上に沿わせて配置する。結束バンド１０１を、マウント５０の通し孔８６，８８に通し、ハンドルバー１５と結束する。結束バンド１０２を、マウント５０の通し孔８７，８９に通し、ハンドルバー１５と結束する。こうして、マウント５０はハンドルバー１５の上部に偏りなく取り付けられる。このとき、マウント５０の前壁５１、背壁５２、右側壁５３、左側壁５４は、例えば、自転車１００の後方、前方、右側方、左側方に向かって対向する位置関係となる。
【００５０】
次に、サイコン２０をマウント５０に取り付ける手順の一例について、図１１〜図１３を参照して説明する。なお、図１１〜図１３は、ブラケット５０及びサイコン２０を上方から見た場合に、取付本体部３０の各部の位置を上方から透視した位置関係で示している。最初に、サイコン２０をマウント５０に対して縦方向に取り付ける場合について説明する。先ず、マウント５０の穴部５７対して、サイコン２０の底面２８側にある取付本体部３０を対向配置させる。そして、図１１に示すように、十字部３２の係止爪部３５〜３８をマウント５０の前後左右に合わせた位置からサイコン２０を反時計回りに回転してずらす。この状態で、十字部３２の係止爪部３５〜３８の各先端部を、マウント５０の被係止部６１〜６４同士の各隙間に通し、取付本体部３０を穴部５７に挿入する。
【００５１】
次いで、図１２に示すように、サイコン２０を時計回りに４５°回転させる。取付本体部３０の回転に伴い、係止爪部３５の面は、板バネ７４の凸部７４Ａを押し下げ、係止爪部３７の面は、板バネ７５の凸部７５Ａを押し下げる。板バネ７４，７５は下方に撓むので、取付本体部３０は穴部５７の内側においてさらに回転可能となる。取付本体部３０は時計回りに４５°回転する。十字部３２の係止爪部３５〜３８がマウント５０の前後左右に一致する。すると、係止爪部３５〜３８は、穴部５７の内側において、被係止部６１〜６４の下方にスライドする。そして、板バネ７４の弾性復帰力により、係止爪部３５の凹部３５Ｂに対して、板バネ７４の凸部７４Ａが落着して嵌り込む。他方、板バネ７５の弾性復帰力により、係止爪部３７の凹部３７Ｂに対して、板バネ７５の凸部７５Ａが落着して嵌り込む。これにより、被係止部６１〜６４に対して係止爪部３５〜３８の位置が回転してずれるのを防止できる。
【００５２】
さらに、係止爪部３５の凹部３５Ａにマウント５０の突起部８１が嵌合する。係止爪部３６の凹部３６Ａにマウント５０の突起部８３が嵌合する。係止爪部３７の凹部３７Ａにマウント５０の突起部８２が嵌合する。係止爪部３８の凹部３８Ａにマウント５０の突起部８４が嵌合する。これによりマウント５０に対して取付本体部３０が回転するのを防止できる。このようにして、マウント５０の穴部５７に対して、サイコン２０の取付本体部３０の取り付けが完了する。サイコン２０はマウント５０に対して縦方向に取り付けられる。
【００５３】
次に、サイコン２０をマウント５０に対して横方向に取り付ける場合について説明する。例えば、使用者は、サイコン２０の表示部２９に表示される画像の表示方向を縦方向から横方向に変更する場合がある。この場合、使用者はマウント５０に対してサイコン２０を横方向にする必要がある。そこで、使用者は、先ず、図１２の状態からサイコン２０を反時計回りに４５°回転させる。すると、係止爪部３５の凹部３５Ｂから、板バネ７４の凸部７４Ａが離脱し、係止爪部３７の凹部３７Ｂから、板バネ７５の凸部７５Ａが離脱する。さらに、係止爪部３５〜３８の凹部３５Ａ〜３８Ａからマウント５０の突起部８１〜８４が離脱する。そして、取付本体部３０の回転に伴い、係止爪部３５の面は、板バネ７４の凸部７４Ａを押し下げ、係止爪部３７の面は、板バネ７５の凸部７５Ａを押し下げる。板バネ７５，７６は下方に撓むので、取付本体部３０は穴部５７の内側においてさらに回転可能となる。サイコン２０は一旦、図１１の状態となる。
【００５４】
次いで、図１１の状態からそのままサイコン２０を反時計回りに４５°回転させる。取付本体部３０の回転に伴い、係止爪部３８の面は、板バネ７４の凸部７４Ａを押し下げ、係止爪部３６の面は、板バネ７５の凸部７５Ａを押し下げる。板バネ７４，７５は下方に撓むので、取付本体部３０は穴部５７の内側においてさらに回転可能となる。十字部３２の係止爪部３５〜３８がマウント５０の前後左右に一致する。すると、係止爪部３５〜３８は、穴部５７の内側において、被係止部６１〜６４の下方にスライドする。そして、図１３に示すように、板バネ７４の弾性復帰力により、係止爪部３８の凹部３８Ｂに対して、板バネ７４の凸部７４Ａが落着して嵌り込む。他方、板バネ７５の弾性復帰力により、係止爪部３６の凹部３６Ｂに対して、板バネ７５の凸部７５Ａが落着して嵌り込む。
【００５５】
さらに、係止爪部３５の凹部３５Ａにマウント５０の突起部８３が嵌合する。係止爪部３６の凹部３６Ａにマウント５０の突起部８２が嵌合する。係止爪部３７の凹部３７Ａにマウント５０の突起部８４が嵌合する。係止爪部３８の凹部３８Ａにマウント５０の突起部８１が嵌合する。このようにして、マウント５０の穴部５７に対して、サイコン２０の取付本体部３０の取り付けが完了する。サイコン２０はマウント５０に対して横方向に取り付けられる。従って、使用者は、サイコン２０をマウント５０から取り外すことなく、サイコン２０の向きを縦方向から横方向、又は横方向から縦方向に変えることができる。
【００５６】
なお、以上説明において、サイコン２０は本発明の「電子機器」の一例である。ハンドルバー１５は本発明の「被取付部材」の一例である。サイコン２０の取付本体部３０は本発明の「本体部」の一例である。係止爪部３５〜３８は本発明の「係止爪」の一例である。凹部３５Ａ〜３８Ａは本発明の「第１凹部」の一例である。突起部８１〜８４は本発明の「第１凸部」の一例である。凹部３５Ｂ〜３８Ｂは本発明の「第２凹部」の一例である。板バネ７０，７１が本発明の「弾性部」の一例である。凸部７４，７５は本発明の「第２凸部」の一例である。中央部７３は本発明の「中央部」の一例である。台座シート９０が本発明の「接触部材」の一例である。結束バンド１０１，１０２が本発明の「結束部材」の一例である。
【００５７】
以上説明したように、本実施形態は、サイコン２０を自転車１００のハンドルバー１５に取り付けるものである。自転車１００のハンドルバー１５にはマウント５０が取り付けられる。サイコン２０の筐体２１の底面２８には、取付本体部３０が設けられている。取付本体部３０は、突起部３１と十字部３２を備える。突起部３１は例えば略円柱状である。十字部３２は、４本の係止爪部３５〜３８を備える。係止爪部３５〜３８は、突起部３１の先端面において十字方向に各々延出する。マウント５０は有底の穴部５７を備える。穴部５７には、４つの被係止部６１〜６４が設けられている。被係止部６１〜６４は、穴部５７の内周から径方向内側に突出し、かつ穴部５７を軸方向から見た場合に９０°ずつずらした位置に各々設けられている。取付本体部３０をマウント５０の穴部５７に挿入して回転させることによって、係止爪部３５〜３８が被係止部６１〜６４に各々係止する。それ故、サイコン２０の筐体２１はマウント５０に取り付けられる。この状態から取付本体部３０を９０°回転させた場合、係止爪部３５〜３８は被係止部６１〜６４の何れかに係止する。従って、マウント５０をハンドルバー１５から取り外すことなく、ハンドルバー１５に対してサイコン２０の取付方向を９０°ずつ回転させることができる。
【００５８】
なお、本発明は上記実施形態に限定されることなく、種々の変形が可能である。例えば上記実施形態の取付具は、サイコン２０を自転車１００のハンドルバー１５に取り付けるものであるが、自転車に限られず、バイク、自動車等の乗り物に取り付ける為の取付具としても適用可能である。自動車であれば、例えば車室内のインストルメントパネル等に取り付ける為の取付具として適用できる。
【００５９】
また上記実施形態では、サイコン２０を自転車１００のハンドルバー１５に取り付けているが、例えばハンドルステム１４やフレーム体２への取り付けも可能である。
【００６０】
また上記実施形態では、電子機器の一例としてサイコン２０を説明したが、その他の電子機器にも適用可能であり、例えば音声通話可能な携帯コンピュータ等にも適用可能である。
【００６１】
また上記実施形態では、サイコン２０は、表示部２９に表示される画像の表示向きを縦又は横に変更可能であるが、表示向きが所定のものであって変更できないものにも適用可能である。
【００６２】
また上記実施形態において、サイコン２０をブラケット５０に取り付けた状態の向きは一例であって、サイコン２０の前後方向を自転車１００の前後方向に合わせてもよい。
【００６３】
また上記実施形態において、サイコン２０の筐体２１は略直方体状であるが、形状についてもこれに限定されない。
【００６４】
また上記実施形態の表示部２９は、抵抗膜式のタッチパネルを搭載しているが、例えば静電式のタッチパネル等を搭載したものでもよい。
【００６５】
また上記実施形態では、サイコン２０の筐体２１の底面２８には隆起部２８Ａを設けているが、設けなくてもよい。隆起部２８Ａを設けることにより、例えば、隆起部２８Ａの内部に配置できる構成部品のスペースを稼ぐことができる。
【符号の説明】
【００６６】
１５  ハンドルバー
２０  サイコン
２１  筐体
２９  表示部
３０  取付本体部
３１  突起部
３５  係止爪部
３５Ａ  凹部
３５Ｂ  凹部
３６  係止爪部
３６Ａ  凹部
３６Ｂ  凹部
３７  係止爪部
３７Ａ  凹部
３７Ｂ  凹部
３８  係止爪部
３８Ａ  凹部
３８Ｂ  凹部
５０  マウント
５７  穴部
５８  底部
５９  中央部
６１〜６４  被係止部
７３  中央部
７４  板バネ
７４Ａ  凸部
７５  板バネ
７５Ａ  凸部
８１〜８４  突起部
８６〜８９  通し孔
９０  台座シート
９３  当接部
９６，９７  段部
９９  湾曲部
１００  自転車
１０１，１０２  結束バンド
【図１】
2015222124.tif 000003
【図２】
2015222124.tif 000004
【図３】
2015222124.tif 000005
【図４】
2015222124.tif 000006
【図５】
2015222124.tif 000007
【図６】
2015222124.tif 000008
【図７】
2015222124.tif 000009
【図８】
2015222124.tif 000010
【図９】
2015222124.tif 000011
【図１０】
2015222124.tif 000012
【図１１】
2015222124.tif 000013
【図１２】
2015222124.tif 000014
【図１３】
2015222124.tif 000015